(57)【要約】【課題】固定ベースに対してケースを片手で着脱操作することができかつケース内部の体積を大きくすることが可能な固定ベースとケースの着脱構造を提供する。【解決手段】固定部材に固定される固定ベース１２と、固定ベースに着脱可能なケース１３からなり、ケース１３の一側に形成された係合部１３Ａが固定ベース１２の一側に対応して形成された係合部１２Ａに着脱可能に係合され、ケースの他側に形成された係合孔１３ｇが固定ベースの他側に形成された係止爪１２ｇに着脱可能に係合するように形成されたケース１２と固定ベース１３の着脱構造において、ケースの係合孔１３ｇ内に係合孔１３ｇと係止爪１２ｇとの係合を解除する係合解除手段１５を設けた。【選択図】図１
2009253051.tif 000002
【特許請求の範囲】
【請求項１】
固定部材に固定される固定ベースと、該固定ベースに着脱可能なケースからなり、前記ケースの一側に形成された係合部が前記固定ベースの一側に対応して形成された係合部に着脱可能に係合され、前記ケースの他側に形成された係合孔が前記固定ベースの他側に形成された係止爪に着脱可能に係合するように形成されたケースと固定ベースの着脱構造において、
前記ケースの係合孔内に前記係合孔と前記係止爪との係合を解除する係合解除手段を設けたことを特徴とするケースと固定ベースの着脱構造。
【請求項２】
前記係止爪は、前記固定ベースの他側に形成された湾曲可能な舌片状の支持部の先端に外方に突出しかつ前記支持部よりも幅狭に形成されており、
前記係合解除手段は、
前記係合孔内に設けられその基端部が当該係合孔の前記係止爪の先端と対向する側の端面に連設された湾曲可能な舌片状の支持部と、
前記支持部の先端に前記係止爪の両側及び先端を囲むように形成された切欠部と、
前記切欠部の周縁部が前記係合孔の外周面から外方に突出するように形成された押圧部からなり、
前記押圧部を押すことにより前記係止爪の両側の支持部の板面を押して前記係止爪と前記係合孔との係合を解除することを特徴とする、請求項１に記載のケースと固定ベースの着脱構造。
【請求項３】
前記係止爪は、前記固定ベースの他側に形成された湾曲可能な舌片状の支持部の先端に外方に突出して形成されかつ外側面の略中央に先端に向かって開口する凹部が設けられており、
前記係合解除手段は、
前記係合孔内に設けられその基端部が当該係合孔の前記係止爪の先端と対向する側の端面に連設して形成された湾曲可能な舌片状の支持部と、
前記支持部の先端内側面に前記係止爪の凹部と係合するように形成された凸部と、
前記支持部の前記凸部と対応する外側面が前記係合孔の外周面から外方に突出するように形成された押圧部からなり、
前記押圧部により前記凸部を介して前記係止爪を押して前記係合孔との係合を解除することを特徴とする、請求項１に記載のケースと固定ベースの着脱構造。
【発明の詳細な説明】
【技術分野】
【０００１】
本発明は、ケースと固定ベースの着脱構造に関する。
【背景技術】
【０００２】
例えば、装置の制御盤を構成するモジュール型コントローラのハウジングは、ＤＩＮレール等の固定部材に固定された固定ベースと、内部に制御基板が収容され固定ベースに着脱可能に装着されるカバーとにより構成されている。そして、制御盤は一般にこのようなハウジングが僅かな隙間を存して複数並設されている。
【０００３】
従来、このようなモジュール型コントローラのハウジングとして例えば図６に示すようなものが知られている。ハウジング１は、縦長の直方体形状をなし浅い箱状の固定ベース２と、固定ベース２の開口部に装着される深い箱状のケース３とにより構成されており、固定ベース２とケース３の両側面及び上下両面は段差のない状態（以下、面一という）とされている。
【０００４】
固定ベース２は、背板２ａの背面中央に形成されている凹部２ａ’が固定部材例えば図示しないＤＩＮレールに嵌合されて係止爪２ａ”により係止可能とされている。両側板２ｂの下部（一側）の開口端には切欠部２ｃが形成され、当該切欠部２ｃの下側の開口端が上方に向けて略半円状に張り出して係合用の突部２ｄが形成されている。そして、これらの切欠部２ｃと突部２ｄにより固定ベース２側の下側（一側）の係合部２Ａが形成されている。また、上側（他側）の上板２ｅの先端部には係止爪（スナップフィット爪）２ｇが形成されている。
【０００５】
ケース３は、両側板３ｂの下部（一側）の開口端に固定ベース２の切欠部２ｃと係合する係合突部３ｃが形成され、かつその下端部が下方に向けて切り欠かれて固定ベース２の係合用の突部２ｄと係合する係合用の切欠部３ｄが形成されている。そして、これらの突部３ｃと切欠部３ｄによりケース側の下側（一側）の係合部３Ａが形成されている。また、上側（他側）の上板３ｅの先端部には固定ベース２の係止爪２ｇと着脱可能な係合孔３ｇが形成されている。
【０００６】
固定ベース２にケース３を装着する場合、固定ベース２の両側板２ｂ下部の突部２ｄにケース３の両側板３ｂの下部の切欠部３ｄを係合し、ここを支点としてケース３を固定ベース２に向けて矢印ＣＣで示す半時計方向に回動し、固定ベース２の上板２ｅの係止爪２ｇにケース３の上板３ｅの係合孔３ｇを係合して固定ベース２にケース３を固定する。そして、ケース３の突部３ｄは、固定ベース２の切欠部２ｄに係合して側面が面一となる。
【０００７】
固定ベース２からケース３を取り外す場合には、図示しない片方の手でケース３の下面を支持し、もう片方の手の例えば人差し指の指先で固定ベース２の係止爪２ｇの付け根部近傍に設けられている押圧部２ｈを押して点線で示すように係止爪２ｇとケース３の係合孔３ｇとの係合を解除する。次いで、固定ベース２の突部２ｄとケース３の切欠部３ｄを支点として図７に示すようにケース３を矢印Ｃで示す手前方向（時計方向）に回動させて引き出す。次いで、固定ベース２の突部２ｄからケース３の切欠部３ｄを外して固定ベース２からケース３を取り外す。このようにして、ケース３の着脱が可能とされている。
【０００８】
或いは、図８に示すように固定ベース２の上板２ｅに係合孔２ｉを形成し、ケース３の上板３ｅの対応する先端部に係止爪（スナップフィット爪）３ｉを形成した構造のものもある。固定ベース２にケース３を装着した状態においては、ケース３の係止爪３ｉが固定ベース２の係合穴２ｉに係合している。
【０００９】
固定ベース２からケース３を取り外す場合には、図示しない片方の手でケース３の下面を支え、もう片方の手の例えば人差し指の指先でケース３の係止爪３ｉの付け根部に設けられた押圧部３ｈを押して係止爪３ｉを下げてケース２の係合穴２ｉとの係合を解除させる。次いで、図９に示すように固定ベース２の突部２ｄとケース３の切欠部３ｄとを支点としてケース３を矢印Ｃで示す手前方向に回動させて引き出す。次いで、固定ベース２の突部２ｄからケース３の切欠部３ｄを外して固定ベース２からケース３を取り外す。
【００１０】
また、固定ベースにハウジング（ケース）を取り付ける構造として、ハウジングの背面上部と固定ベースの前面上部とを合わせた後、ハウジングを下方から回転させるように押し込むことで、ハウジングを固定ベースに固定するようにしたものも提案されている（例えば、特許文献１参照）。
【特許文献１】特開２０００−２２２００７号公報（３頁、図４）
【発明の開示】
【発明が解決しようとする課題】
【００１１】
ところで、上記図６に示したケース３と固定ベース２の着脱構造においては、ケース３を取り外す際に片方の手でケース３を支え、もう片方の手で固定ベース２の押圧部２ｈを押しながらケース３の取り外しを行うため、取り外し操作に両手が必要となり、作業性が悪いという問題があった。特に、複数のハウジングが複数並設され、かつ隣り合う側面の間に作業者が指先を入れることができないような構成においては、外方に露出している面（図６に示す上下両側及び前面）を押さえることしかできない。このため、固定ベース２とケース３の着脱にはどうしても両手で操作する必要がある。
【００１２】
また、上記図８に示したケース３と固定ベース２の着脱構造においては、ケース３の上板３ｅの先端部に係止爪３ｉを形成するために、余分なスペースが必要となる。また、ケース３の方が固定ベース２よりも大きい（深い）成形品であるために金型の型抜き勾配（テーパ）が必要であり、かつ上板３ｅの先端部に係止爪３ｉを形成するために上板３ｅの肉厚が厚くなり、これに伴いケース３の内部空間が狭くなり当該ケース３内に実装できる制御基板の面積が小さくなるという問題がある。
【００１３】
また、特許文献１に記載されているモジュール型コントローラにおいては、固定ベースとハウジング（ケース）との着脱構造については何ら開示されていない。
【００１４】
本発明の目的は、固定ベースに対してケースを片手で着脱操作することができかつケース内部の体積を大きくすることが可能な固定ベースとケースの着脱構造を提供することにある。
【課題を解決するための手段】
【００１５】
上述した課題を解決するために、本発明の請求項１に係るケースと固定ベースの着脱構造は、
固定部材に固定される固定ベースと、該固定ベースに着脱可能なケースからなり、前記ケースの一側に形成された係合部が前記固定ベースの一側に対応して形成された係合部に着脱可能に係合され、前記ケースの他側に形成された係合孔が前記固定ベースの他側に形成された係止爪に着脱可能に係合するように形成されたケースと固定ベースの着脱構造において、
前記ケースの係合孔内に前記係合孔と前記係止爪との係合を解除する係合解除手段を設けたことを特徴としている。
【００１６】
固定部材に固定されている固定ベースの一側に形成された係合部にケースの一側に形成された係合部を係合し、固定ベースの他側に形成された係止爪にケースの他側に形成された係合孔を係合する。これにより、固定ベースにケースを取り付ける。固定ベースからケースを外す場合には、ケースの係合孔内に設けられた係合解除手段により固定ベースの係止爪とケースの係合孔との係合を解除する。そして、ケースの他側を固定ベースの他側から外した後、ケースの一側の係止部と固定ベースの一側の係止部との係合を解除して固定ベースからケースを取り外す。
【００１７】
また、本発明の請求項２に係るケースと固定ベースの着脱構造は、請求項１に記載のケースと固定ベースの着脱構造において、
前記係止爪は、前記固定ベースの他側に形成された湾曲可能な舌片状の支持部の先端に外方に突出しかつ前記支持部よりも幅狭に形成されており、
前記係合解除手段は、
前記係合孔内に設けられその基端部が当該係合孔の前記係止爪の先端と対向する側の端面に連設された湾曲可能な舌片状の支持部と、
前記支持部の先端に前記係止爪の両側及び先端を囲むように形成された切欠部と、
前記切欠部の周縁部が前記係合孔の外周面から外方に突出するように形成された押圧部からなり、
前記押圧部を押すことにより前記係止爪の両側の支持部の板面を押して前記係止爪と前記係合孔との係合を解除することを特徴としている。
【００１８】
ケースの係合解除手段の押圧部を押すと舌片状の支持部が内方に湾曲して先端の切欠部の両側の内側面が固定ベースの舌片状の支持部の係止爪の両側の板面を押す。これに伴い固定ベースの舌片状の支持部が内方にして湾曲して先端の係止部がケースの嵌合孔から外れる。切欠部は、係止爪の両側及び先端を囲むように形成されている、即ち係止爪の後端側が開口していることにより、切欠部の両側が支持部の係止爪の両側の板面を押した状態で当該係止爪から抜け出すことができる。これにより、固定ベースの係止爪とケースの係合孔との係合を解除することができる。
【００１９】
また、本発明の請求項３に係るケースと固定ベースの着脱構造は、請求項１に記載のケースと固定ベースの着脱構造において、
前記係止爪は、前記固定ベースの他側に形成された湾曲可能な舌片状の支持部の先端に外方に突出して形成されかつ外側面の略中央に先端に向かって開口する凹部が設けられており、
前記係合解除手段は、
前記係合孔内に設けられその基端部が当該係合孔の前記係止爪の先端と対向する側の端面に連設して形成された湾曲可能な舌片状の支持部と、
前記支持部の先端内側面に前記係止爪の凹部と係合するように形成された凸部と、
前記支持部の前記凸部と対応する外側面が前記係合孔の外周面から外方に突出するように形成された押圧部からなり、
前記押圧部により前記凸部を介して前記係止爪を押して前記係合孔との係合を解除することを特徴としている。
【００２０】
ケースの係合解除手段の押圧部を押すと舌片状の支持部が内方に湾曲して係止爪の凹部に係合している凸部が固定ベースの係止爪を押す。これに伴い固定ベースの舌片状の支持部が内方にして湾曲して係止部がケースの嵌合孔から外れる。係止爪の凹部は先端に向かって開口していることにより、ケースの凸部が係止爪の凹部を押した状態で当該凹部から抜け出すことができる。これにより、固定ベースの係止爪とケースの係合孔との係合を解除することができる。
【発明の効果】
【００２１】
本発明によると、固定ベースに装着するケースの着脱を片方の手で行うことが可能となり、取り扱いが容易となり作業性の向上が図られる。また、係止爪の形成に必要な余分なスペースがなく、ケース内部の体積を大きくとることが可能となり、ケース内に実装する基板の面積を大きくすることが可能となる。また、構造も簡単である。
【発明を実施するための最良の形態】
【００２２】
以下、本発明の第１の実施形態に係るケースと固定ベースの着脱構造を図面に基づいて説明する。図１は本発明に係るケースと固定ベースの着脱構造を適用したモジュール型コントローラのハウジングの斜視図を示す。ハウジング１１は、図示のように縦長薄型の直方体形状の箱体をなし、浅い箱状の固定ベース１２と深い箱状のケース１３とにより構成されている。そして、固定ベース１２とケース１３の両側面及び上下面は面一とされている。そして、固定ベース１２とケース１３の両側板１２ｂと１３ｂ、上板１２ｅと１３ｅ、下板１２ｆと１３ｆは面一とされている。尚、図１において固定ベース１２、ケース１３の下部を一側、上部を他側としている。
【００２３】
固定ベース１２は、背板１２ａの背面の中央に形成されている凹部１２ａ’が固定部材例えば図示しないＤＩＮレールに嵌合されて図３に示す係止爪１２ａ”により係止可能とされており、両側板１２ｂの下部（一側）の開口端に切欠部１２ｃが形成され、かつ当該切欠部１２ｃの下側の開口端が上方に向けて略半円形状に張り出して係合用の突部１２ｄが形成されている。この切欠部１２ｃと突部１２ｄとにより固定ベース１２の下側（一側）の係合部１２Ａが形成されている。
【００２４】
固定ベース１２の上板（他側の端板）１２ｅの先端部中央位置には係止爪（スナップフィット爪）１２ｇが形成されている。また、ケース１３は、上板（他側の端板）１３ｅの先端部に固定ベース１２の係止爪１２ｇと対応して係合孔１３ｇが形成されており、かつ当該係合孔１３ｇ内に係止爪１２ｇとの係合を解除するための係合解除手段１５が一体に形成されている。
【００２５】
固定ベース１２の係止爪１２ｇは、図２に示すように上板１２ｅの開口端面の略中央位置に点線で示すように前方に突出して形成された支持部１２ｈの前端部上面に形成されている。支持部１２ｈの幅は、上板１２ｅの幅の略１／３程度とされており、係止爪１２ｇの幅は、支持部１２ｈの幅よりも僅かに狭く両側に支持部１２ｈの上面と面一な平板部１２ｈ’が形成されている。また、係止爪１２ｇは、後端面が支持部１２ｈの板面から垂直に立ち上がり、両側部１２ｇ’が上端面から前端に向けてテーパ状に下方に傾斜している。また、両側部１２ｇ’の間の凹部１２ｇ”が先端方向に開口する凹部とされている。
【００２６】
支持部１２ｈは、図２及び図３に示すように基端部が開口端面から僅かに内側に位置し、かつケース１３の上板１３ｅの板厚分だけ凹んで形成され、両側に開口端面から背板１２ａの近傍までスリット１２ｉが形成されている。これにより、支持部１２ｈが舌片状をなす形状とされて内方に湾曲可能とされている。また、係止爪１２ｇの高さは、ケース１３の上板１３ｅの板厚と同じ或いは僅かに低く形成されている。
【００２７】
ケース１３は、図１に示すように左右両側板１３ｂの下端部の開口端に固定ベース１２の切欠部１２ｃと係合する係合突部１３ｃが形成され、かつその下端部が下方に向けて切り欠かれて固定ベース１２の係合用の突部１２ｄと係合する係合用の切欠部１３ｄが形成されている。この係合突部１３ｃと切欠部１３ｄとによりケース１３の下側（一側）の係合部１３Ａが形成されている。そして、上板１３ｅの先端部近傍に固定ベース１２の係止爪１２ｇと係合可能な係合孔１３ｇが形成されている。
【００２８】
ケース１３の係合孔１３ｇは、固定ベース１２の支持部１２ｈの幅よりも僅かに幅広で上板１３ｅに沿って長い長穴とされ、内部に固定ベース１２の支持部１２ｈと略同じ幅の舌片状の支持部１３ｈが設けられている。支持部１３ｈは、図２及び図３に示すように上板１３ｅよりも僅かに薄い板厚とされ、基端部が嵌合孔１３ｇの前記係止爪１２ｇの先端と対向する後端面１３ｇ’に連設され、前端部が係合孔１３ｇの前端面１３ｇ”と僅かな間隔を存して対向している。これにより、支持部１３ｈは、内方（内側）に湾曲し易くされている。そして、支持部１３ｈの前端部に係合孔１３ｇの前端面１３ｇ”と対向して開口する略角形Ｃ字状の切欠部１３ｉと、この切欠部１３ｉの左右両側及び後側の三方を囲むように略角形Ｃ字状をなし、かつ上板１３ｅの上面から上方に僅かに突出する押圧部１３ｊが形成されている。即ち、押圧部１３ｊは、係合孔１３ｇの外周面から外方に突出している。
【００２９】
切欠部１３ｉは、係止爪１２ｇの両側部及び先端が僅かな隙間を存して入り込むことが可能な大きさとされており、固定ベース１２の係止爪１２ｇの後端面が係合孔１３ｇの前端面１３ｇ”に係合可能とされている。そして、支持部１３ｈと切欠部１３ｉと押圧部１３ｊにより、係止爪１２ｇと係合孔１３ｇとの係合を解除するための係合解除手段１５が形成されている。
【００３０】
ケース１３の上板１３ｅの固定ベース１２の支持部１２ｈと対応する先端部１３ｋは、開口端面から支持部１２ｈの付け根部分に当接する位置まで突出して形成されている。これにより、固定ベース１２の上板１２ｅの開口端面とケース１３の上板１３ｅの開口端面が隙間なく当接可能とされ、かつ固定ベース１２の上板１２ｅとケース１３の上板１３ｅとが面一となる。
【００３１】
固定ベース１２の係止爪１２ｇ及びケース１３の係止部１３ｇをこのような形状とすることにより、余分なスペースが不要となる。また、ケース１３の金型の型抜き勾配を小さくすることができ、これに伴いケース１３の上板１３ｅの板厚を薄くすることができ、この結果、ケース１３の内部の体積を大きくすることが可能となる。
【００３２】
これらの固定ベース１２及びケース１３は、例えばポリカーボネート等の合成樹脂部材により一体に形成されている。従って、固定ベース１２の舌片状をなす支持部１２ｈ及びケース１３の舌片状をなす支持部１３ｈは、何れも弾性を有して湾曲可能とされる。そして、ケース１３内に図示しない制御基板が実装される。このようにして、ハウジング１１が形成されている。そして、制御盤にはこのハウジング１１が僅かな隙間を存して複数並設される。
【００３３】
固定ベース１２にケース１３を装着する場合、作業者が図４に示すようにケース１３の上部を図示しない片方の手例えば右手で掴み、固定ベース１２の左右両側板１２ｂの下部の突起部１２ｃにケース１３の左右両側板１３ｂの下部の切欠部１３ｃを嵌め込みながら突起１２ｄに切欠部１３ｄを係合する。次に、この係合部を支点としてケース１３を固定ベース１２に向けて矢印ＣＣで示す半時計方向に回動させて、固定ベース１２の上板１２ｅの係止爪１２ｇのテーパをなす上面（外面）にケース１３の上板１３ｅを押し付ける。
【００３４】
これに伴い支持部１２ｈが湾曲して係止爪１２ｇの上面が上板１３ｅの内側面（下面）を摺動しながら係合孔１３ｇに入り込む。そして、固定ベース１２の支持部１２ｈが元の状態に復帰して係止爪１２ｇの後端面が係合孔１３ｇの前端面１３ｇ”に係止される。これにより、固定ベース１２にケース１３が固定される。
【００３５】
固定ベース１２からケース１３を取り外す場合には、作業者が図３に示すケース１３の上板１３ｅの板面から突出している押圧部１３ｊに図示しない片方の手例えば右手の人差し指の指先を当てて押す。これに伴いケース１３の支持部１３ｈが内方（内側）に湾曲して図２に示す切欠部１３ｉの内側面（下面）の両側部が固定ベース１２の支持部１２ｈの係止爪１２ｇの両側の平板部１２ｈ’を内方（内側）に押し付ける。これにより支持部１２ｈが湾曲して係止爪１２ｇがケース１３の係合孔１３ｇとの係合が解除される。
【００３６】
次いで、前記右手の人差し指と親指とによりケース１３の上板１３ｅと下板１３ｆの手前側（前部）を挟持して、固定ベース１２の左右両側板１２ｂの突部１２ｄとケース１３の左右両側板１３ｃの切欠部１３ｄとの係合部を支点として図４に矢印Ｃで示す手前側（時計方向）に回動させる。このとき、押圧部１３ｊが上板１３ｅの板面から突出していることで指先が引っ掛かり、ケース１３を容易に回動することが可能となる。また、ケース１３の切欠部１３ｉは、係合孔１３ｇの前端面１３ｇ”と対向する前端部が開口していることにより、係止爪１２ｇの後端面に干渉することなく当該係止爪１２ｇから抜け出す。
【００３７】
次いで、ケース１２を手前側斜め上方に持ち上げながら固定ケース１２の下部の突部１２ｄとケース１３の下部の切欠部１３ｄとの係合を解除する。これにより、固定ベース１２からケース１３を片方の手で容易に取り外すことが可能となる。特に、ハウジング１１が僅かな隙間を存して複数並設した場合に露出している部分、即ち上板１２ｅと１３ｅに係止爪１２ｇと係合孔１３ｇ及び係合解除手段１５が設けられていることにより、固定ベース１２とケース１３との着脱を容易に行うことが可能となる。
【００３８】
図５は、本発明に係るケースと固定ベースの着脱機構の第２の実施形態の要部拡大図を示す。尚、図２と同一又は相当する部材には同一又は相当する符号を付して説明を省略する。図５において、ケース１３の支持部１３ｈの先端部内側面（下面）略中央位置に図２に示す係止爪１２ｇの前方に開口する凹部１２ｇ”と係合する凸部１３ｍを形成し、支持部１３ｈの当該凸部１３ｍと対応する外側面（上面）に板面から外方（上方）突出する押圧部１３ｎを形成したものである。この場合、係止爪１２ｇは、支持部１２ｈと同じ幅に設定することができる。そして、支持部１３ｈと下面の凸部１３ｍと押圧部１３ｎとにより係合解除手段１５’が形成されている。
【００３９】
固定ベース１２からケース１３を取り外す場合には、前述と同様に作業者が図示しない片方の手例えば右手の人差し指の指先をケース１３の押圧部１３ｎに当てて押す。これに伴いケース１３の支持部１３ｈが内方（内側）に湾曲して固定ベース１２の係止爪１２ｇの凹部１２ｇ”を押す。これにより、係止爪１２ｇが押し下げられてケース１３の係合孔１３ｇとの係合が解除される。これにより、固定ベース１２の係止爪１２ｇとケース１３の係合孔１３ｇとの係合を解除することができる。
【００４０】
次いで、前記右手の人差し指と親指とによりケース１３の上板１３ｅと下板１３ｆ（図４参照）の手前側（前部）を挟持して、固定ベース１２の左右両側板１２ｂの突部１２ｄとケース１３の左右両側板１３ｃの切欠部１３ｄとの係合部を支点として手前側に回動させる。係止爪１２ｇの凹部１２ｇ”は先端に向かって開口していることにより、ケース１３の凸部１３ｍが係止爪１２ｇの凹部１２ｇ”を押した状態で当該凹部１２ｇ”から抜け出すことができる。このとき、凸部１３ｍが上板１３ｅの板面から突出していることで指先が引っ掛かり、ケース１３を容易に回動することが可能となる。
【００４１】
次いで、ケース１２を手前側斜め上方に持ち上げながら固定ケース１２の下部の突部１２ｄとケース１３の下部の切欠部１３ｄとの係合を外す。これにより、固定ベース１２からケース１３を片方の手で容易に取り外すことが可能となる。
【００４２】
以上説明したように本発明によれば、固定ベースからケースを外す場合には、ケースの係合孔内に設けられた係合解除手段により固定ベースの係止爪とケースの係合孔との係合を解除する。そして、ケースの他側を固定ベースの他側から外した後、ケースの一側の係止部と固定ベースの一側の係止部との係合を解除して固定ベースからケースを取り外す。これにより、操作者は、固定ベースとケースとの着脱を片方の手で操作することができ、作業性の向上が図られる。
【００４３】
特に、複数のハウジングが並設され、かつ隣り合う側面の間に作業者が指先を入れることができないような構成においても、外方に露出している一側の面と他側の面（第１の実施の形態の図１ではケース１３の上下両面）を片方の手の指先で挟持することができるために固定ベースとケースの着脱を片方の手で操作することができる。
【００４４】
また、係止爪を支持部よりも幅狭に形成し、係合解除手段の支持部の先端に係止爪の両側及び先端を囲むように切欠部を形成し、かつ切欠部の周縁部を係合孔の外周面から外方に突出させて押圧部を形成する。そして、押圧部を押すことにより、係止爪がケースの係合孔から外れ、かつ切欠部が係止爪から抜け出すことができる。これにより、固定ベースの係止爪とケースの係合孔との係合を解除することができ、固定ベースとケースの着脱を片方の手で操作することができる。
【００４５】
また、係止爪の略中央に先端に向かって開口する凹部を設け、係合解除手段の支持部の先端内側面に係止爪の凹部と係合する凸部を形成し、該凸部と対応する外側面を係合孔の外周面から外方に突出させて押圧部を形成する。そして、押圧部を押すことにより凸部が係止爪を押し、これに伴い固定ベースの支持部が内方にして湾曲して係止部がケースの嵌合孔から外れる。係止爪の凹部は先端に向かって開口していることにより、ケースの凸部が係止爪の凹部を押した状態で当該凹部から抜け出すことができる。これにより、固定ベースの係止爪とケースの係合孔との係合を解除することができ、固定ベースとケースの着脱を片方の手で操作することができる。
【００４６】
なお、以上において重力の方向に関係する「上」および「下」という用語を用いたのは、説明を簡潔にするためである。ケースおよび固定ベースの重力方向に対する設置姿勢によって、本発明の本質が損なわれるものではない。
【図面の簡単な説明】
【００４７】
【図１】本発明に係るケースと固定ベースの着脱構造の第１の実施形態を適用したモジュール型コントローラのハウジングの斜視図である。
【図２】図１に示したケースと固定ベースとの係合部の拡大斜視図である。
【図３】図１に示したハウジングの一部切欠側面図である。
【図４】図３に示したハウジングの固定ベースからケースを取り外す場合の説明図である。
【図５】本発明に係るケースと固定ベースの着脱構造の第２の実施形態に係るケースと固定ベースとの係合部の拡大斜視図である。
【図６】従来のケースと固定ベースの着脱構造の一例を適用したハウジングの一部切欠側面図である。
【図７】図６に示した固定ベースからケースを取り外す場合の説明図である。
【図８】従来のケースと固定ベースの着脱構造の他の例を適用したハウジングの一部切欠側面図である。
【図９】図８に示した固定ベースからケースを取り外す場合の説明図である。
【符号の説明】
【００４８】
１    ハウジング
２    固定ベース
２Ａ    係合部
２ａ    背板
２ａ’    凹部
２ａ”    係止爪
２ｂ    側板
２ｃ    切欠部
２ｄ    突部
２ｅ    上板
２ｇ    係止爪
２ｈ    押圧部
２ｉ    係合孔
３    ケース
３Ａ    係合部
３ｂ    側板
３ｃ    係合突部
３ｄ    切欠部
３ｅ    上板
３ｇ    係合孔
３ｈ    押圧部
３ｉ    係止爪
１１    ハウジング
１２    固定ベース
１２Ａ    係合部
１２ａ    背板
１２ａ’    凹部
１２ａ”    係止爪
１２ｂ    側板
１２ｃ    切欠部
１２ｄ    突部
１２ｅ    上板
１２ｆ    下板
１２ｇ    係止爪
１２ｇ’    側部
１２ｇ”    凹部
１２ｈ    支持部
１２ｈ’    平板部
１２ｉ    スリット
１３    ケース
１３Ａ    係合部
１３ｂ    側板
１３ｃ    係合突部
１３ｄ    切欠部
１３ｅ    上板
１３ｆ    下板
１３ｇ    係合孔
１３ｇ’    後端面
１３ｇ”    前端面
１３ｈ    支持部
１３ｉ    切欠部
１３ｊ    押圧部
１３ｋ    先端部
１３ｍ    凸部
１３ｎ    押圧部
１５，１５’    係合解除手段
【図１】
2009253051.tif 000003
【図２】
2009253051.tif 000004
【図３】
2009253051.tif 000005
【図４】
2009253051.tif 000006
【図５】
2009253051.tif 000007
【図６】
2009253051.tif 000008
【図７】
2009253051.tif 000009
【図８】
2009253051.tif 000010
【図９】
2009253051.tif 000011